(57)【要約】【課題】表示装置の配線作業の手間を軽減する。【解決手段】本表示装置１では、前面２ａに矩形の表示部を有する表示ユニット２と、これを保持する表示装置本体３とを備える。表示装置本体３は、外枠９と、後板１０とを含み、外枠９の四隅のコーナ枠１５〜１８に、配線取出用部分２５を開放可能に設けた。配線取出用部分２５を開放させて開口２５ａを形成して配線２４を通すことができる。コーナ部の開口２５ａは、後面が壁面に接近する場合の配線作業が容易であり、配線２４を見栄え良く通すことができる。表示装置本体３の内部に配線用ダクト３１を、外枠９の上板１１と一体に設けた。配線２４へのノイズの悪影響を軽減できる。【選択図】  図３
2004354627.tif 000002
【特許請求の範囲】
【請求項１】
前面に矩形状の表示部を有する表示手段と、
この表示手段を保持する表示装置本体とを備え、
この表示装置本体は、表示手段の上下左右を取り囲む四角環状をなす外枠と、後板とを含み、
外枠の少なくとも一つのコーナ部に、配線取出用部分を開放可能に設けたことを特徴とする表示装置。
【請求項２】
請求項１に記載の表示装置において、上記外枠は、外枠本体と、配線取出用部分が設けられるコーナ部を構成して外枠本体に着脱可能なコーナ枠とを含むことを特徴とする表示装置。
【請求項３】
請求項１または２に記載の表示装置において、上記表示装置本体内に、内部に配線を通して、配線取出用部分が設けられるコーナ部へ導く配線ダクトを設けたことを特徴とする表示装置。
【請求項４】
前面に矩形状の表示部を有する表示手段と、この表示手段を保持する表示装置本体と、この表示装置本体内に設けられ内部に配線を通すための配線ダクトとを備えることを特徴とする表示装置。
【請求項５】
請求項４に記載の表示装置において、上記表示装置本体は、表示手段の上下左右を取り囲む四角環状をなす外枠を含み、上記配線ダクトは、外枠に一体に設けられることを特徴とする表示装置。
【請求項６】
請求項５に記載の表示装置において、上記外枠は配線ダクトの延びる方向に沿って形成される分割面を介して複数に分割されることを特徴とする表示装置。
【請求項７】
請求項３から６の何れかに記載の表示装置において、上記配線ダクトの途中部に、１または複数の開放可能な配線挿通用部分を設けることを特徴とする表示装置。
【請求項８】
請求項３から７の何れかに記載の表示装置において、上記配線ダクトは、電磁シールド材により構成されることを特徴とする表示装置。
【発明の詳細な説明】
【０００１】
【発明の属する技術分野】
本発明は、例えば、発光素子を点灯、消灯、点滅等させることにより、文字や図形等を表示し、各種情報を伝達する表示装置に関する。
【０００２】
【従来の技術】
上述の表示装置は、文字や図形等の表示するための表示手段として、例えば、多数のＬＥＤを所定形状、例えば、文字形状や格子状に配列した板状の表示パネルを有する。表示パネルには、板状の表示部が設けられる。この表示部にＬＥＤの発光により文字等を表示することができる。表示パネルは、外郭ケース内に配置され、外郭ケースの前面に表示部が配置される（例えば、特許文献１，２参照。）。
【０００３】
特許文献１，２に記載の表示装置では、外郭ケース内において、表示パネルの後方に回路基板が配置され、回路基板と外郭ケースの後面板との間に隙間が形成される。
通例、外郭ケースの後面板の中央部には、配線用の開口が設けられ、この開口を、表示装置への電力供給や信号伝達のための外部からの配線が挿通している。開口を挿通し内部に導入された配線は、回路基板と外郭ケースの後面板との間の隙間に、回路基板に臨むようにして配置される。
【０００４】
【特許文献１】
特開平８−２３８９８０号公報
【特許文献２】
特開平８−１２３３３９号公報
【０００５】
【発明が解決しようとする課題】
ところで、表示装置は、天井面、壁面等のいろいろな取り付け場所に対応することが要請されている。このような要請に応えるために、表示装置への電力供給用や信号伝達用の配線作業は、通例、その設置現場でなされる。しかし、配線作業は、取り付け場所ごとに異なり複雑になる傾向にある。その結果、配線を美しく見せることが困難になり、従って、見栄えの良い配線を実現するために、配線作業の手間が掛かっていた。
【０００６】
また、従来の表示装置では、外郭ケースの内部で配線と回路基板とが接触し易い。接触すると回路基板および配線の信号にノイズを生じ易くなる。従って、ノイズを生じ難い配線レイアウトを実現しようとすると、配線作業時に配線のレイアウトについての厳重な注意が必要で、配線作業の手間がかかる。
そこで、本発明の目的は、上述の技術的課題を解決し、配線作業の手間を軽減できる表示装置を提供することである。
【０００７】
【課題を解決するための手段および発明の効果】
請求項１に記載の発明の表示装置は、前面に矩形状の表示部を有する表示手段と、この表示手段を保持する表示装置本体とを備え、この表示装置本体は、表示手段の上下左右を取り囲む四角環状をなす外枠と、後板とを含み、外枠の少なくとも一つのコーナ部に、配線取出用部分を開放可能に設けたことを特徴とする。この発明によれば、配線取出用部分を開放させて開口を形成し、この開口に配線を通すことができる。コーナ部の開口であれば、後面部が壁面に接近する場合の配線作業が後面の開口に比べて容易になり、配線を見栄え良く通すことができる。従って、見栄えの良い配線を実現するための配線作業の手間を軽減することができる。
【０００８】
請求項２に記載の発明は、請求項１において、上記外枠は、外枠本体と、配線取出用部分が設けられるコーナ部を構成して外枠本体に着脱可能なコーナ枠とを含むことを特徴とする。この発明によれば、配線作業時に、コーナ枠を必要に応じて取り外して、配線を開口に通し易くできる。従って、配線作業の手間をより一層軽減することができる。
請求項３に記載の発明は、請求項１または２において、上記表示装置本体内に、内部に配線を通して、配線取出用部分が設けられるコーナ部へ導く配線ダクトを設けたことを特徴とする。この発明によれば、配線ダクトは、その内部と外部とを仕切り、配線ダクト内に通される配線が表示手段のために通例設けられる回路基板等と触れ合うことを確実に防止できるので、ノイズに強い配線レイアウトを実現できる。しかも配線作業時にそのレイアウトについて格段の注意を払う必要がなく、配線作業が容易になり、その手間をより一層軽減できる。特に、配線取出用部分が設けられるコーナ部へ導くための配線は、長くなる傾向にあり、配線ダクトを効果的に利用できる。
【０００９】
請求項４に記載の発明の表示装置は、前面に矩形状の表示部を有する表示手段と、この表示手段を保持する表示装置本体と、この表示装置本体内に設けられ内部に配線を通すための配線ダクトとを備えることを特徴とする。この発明によれば、請求項３の発明の作用効果と同様にして、ノイズに強い配線レイアウトを容易な配線作業により得ることができる。
請求項５に記載の発明は、請求項４において、上記表示装置本体は、表示手段の上下左右を取り囲む四角環状をなす外枠を含み、上記配線ダクトは、外枠に一体に設けられることを特徴とする。この発明によれば、表示装置に通例設けられる外枠を利用して配線ダクトを一体に設けるので、配線ダクトを設けるためのコスト上昇を抑制できる。
【００１０】
請求項６に記載の発明は、請求項５において、上記外枠は、配線ダクトの延びる方向に沿って形成される分割面を介して複数に分割されることを特徴とする。この発明によれば、外枠とともに配線ダクトを分割して、配線ダクトの内部を外部へ開放させることができるので、配線ダクト内へ配線を容易に収容でき、配線作業の手間をより一層軽減できる。
請求項７に記載の発明は、請求項３から６の何れかにおいて、上記配線ダクトの途中部に、１または複数の開放可能な配線挿通用部分を設けることを特徴とする。この発明によれば、配線の例えば一部が、配線ダクトの途中部から導出されたり導入されたりするようなレイアウトを採用することもできる。配線レイアウトの自由度が高まり、しかもそのための手間が掛からずにすむ。その結果、配線作業の手間をより一層軽減できる。
【００１１】
請求項８に記載の発明は、請求項３から７の何れかにおいて、上記配線ダクトは、電磁シールド材により構成されることを特徴とする。この発明によれば、例えば、配線ダクトをその外部の電磁波から遮蔽できるので、ノイズにより一層強い配線レイアウトを実現できる。
【００１２】
【発明の実施の形態】
以下、本発明の一実施形態の表示装置を図面を参照しつつ説明する。図１は、本発明の一実施形態の表示装置の一部断面斜視図である。図１を参照する。
表示装置１は、表示手段としての表示ユニット２と、この表示ユニット２を保持する表示装置本体３とを備える。
表示ユニット２は、情報を表示するための複数の表示パネル４と、表示ユニット２の前面２ａに配置され矩形状の透光性部材により形成される表示部としての前面パネル５と、表示パネル４の動作を制御する制御手段としての回路部６とを有する。
【００１３】
各表示パネル４は、保持板（図示せず）にマトリックス状に配列される複数のＬＥＤ（図示せず）を有する。具体的には、複数の表示パネル４が左右方向に沿って連設され、これら複数の表示パネル４のＬＥＤに対向して、一枚板状の単一の前面パネル５が配置される。回路部６の制御により、複数の表示パネル４のＬＥＤを所望のパターンで発光させて、前面パネル５に所望の情報を表示することができる。前面パネル５は外部の前方から視認できるように表示装置本体３の前面３ａに配置される。
【００１４】
なお、以下の説明では、横長の前面パネル５が前向きに配置される場合に則して、正面視を基準にして方向を説明し、各図には必要に応じて上向き矢印ＡＵ、前向き矢印ＡＦ、右向き矢印ＡＲを図示する。なお、前面パネル５は縦長、正方形としてもよい。
図１および図２を参照する。表示装置本体３は、外郭ケース７と、外郭ケース７に支持されてその内部に配置される支持フレーム８とを有する。外郭ケース７は、一方向、例えば、左右に長い略直方体形状をなす。外郭ケース７は、表示ユニット２の上下左右を取り囲む四角環状をなす外枠９と、外枠９に着脱可能に支持される後板１０とを含む。外枠９は、外枠本体としての以下の各板、すなわち、上板１１、下板１２、右側板１３および左側板１４を有し、外枠９の四角形状の四隅に配置される樹脂製の複数の、例えば、４つのコーナ枠１５，１６，１７，１８を有する。各コーナ枠１５，１６，１７，１８は、外枠９の四角形状の対応する四隅のコーナ部をそれぞれ構成する。
【００１５】
上板１１、下板１２、右側板１３および左側板１４は、金属、例えば、アルミニウム合金製の押出し材により形成され、支持フレーム８に固定される。支持フレーム８は、断面溝形に形成され、上板１１と下板１２とを互いにボルト１９ａにより連結する。また、右側板１３および左側板１４は、支持フレーム８の側部にボルト１９ｂにより着脱可能に取り付けられる。各コーナ枠１５，１６，１７，１８は、隣接する上板１１または下板１２に着脱可能にボルト１９ｃにより固定される。
【００１６】
図１を参照して、表示装置本体３の上板１１および下板１２は、複数、例えば、４つの取付部２０（一部を図示）を有する。取付部２０は、雌ねじ孔からなり、本表示装置１を設置面としての壁面２１等に取付部材２２、固定ボルト２３等を介して取り付けるために用いられる。また、図示しないが、取付部２０を用いて、本表示装置１を設置面としての天井面に固定することもできる。
前面パネル５は、外枠９に支持される。複数の表示パネル４と回路部６とは、支持フレーム８に支持される。回路部６には、電力供給用や信号伝達用の配線２４が接続されている。この配線２４は、複数のリード線を含み、外郭ケース７を貫通して、外部の電源や信号発生用の制御装置（図示せず）に接続される。
【００１７】
本表示装置１は、外枠９の複数、例えば４個全てのコーナ枠１５，１６，１７，１８に、複数、例えば、全部で８つの第１の配線取出用部分２５（一部を図示）を開放可能に設けてある。各コーナ枠１５，１６，１７，１８は、表示装置本体３の対応する上面または下面を形成する部分に、２つの配線取出用部分２５をそれぞれ形成する。２つの配線取出用部分２５は、前後に並ぶ。
また、本表示装置１は、表示装置本体３の上面としての上板１１に開放可能に設けられる単一の第２の配線取出用部分２６と、表示装置本体３の後面としての後板１０に開放可能に設けられる複数、例えば、２つの第３の配線取出用部分２７とを有する。第２および第３の配線取出用部分２６，２７は、外枠９のコーナ部から離れて配置される。
【００１８】
第１、第２および第３の配線取出用部分２５，２６，２７は、表示ユニット２の回路部６に接続される配線２４を外部に取りだすための部分である。
第１の配線取出用部分２５は、必要に応じて衝撃力を所定部分に作用させることにより、その所定部分を破断させて開口を設けることができる部分、いわゆるノックアウト部からなる。第１の配線取出用部分２５を開放させた開口２５ａに、上下方向に沿う配線２４をゴムブッシュを介して通すことができる。
【００１９】
第２および第３の配線取出用部分２６，２７は、上板１１および後板１０に形成されて表示装置１の内部と外部とを連通する開口と、この開口を塞ぐために上板１１および後板１０に着脱可能に取り付けられる蓋とを有する。必要に応じて、蓋を取り外して、開口を開放させることができ、開放された開口に配線２４を通すことができる。
本実施形態では、外枠９のコーナ部に第１の配線取出用部分２５を設けてこれを配線取出用のために開放して利用できるので、表示装置本体３の後面が壁面２１に接近する場合の配線作業が後板１０の開口を用いる場合に比べて容易になる。また、コーナ部の第１の配線取出用部分２５の開口２５ａは、配線２４を見栄え良く通すことができる。従って、配線２４を見栄え良くするための配線作業の手間を軽減することができる。
【００２０】
図２を参照して、本実施形態では、第１の配線取出用部分２５が設けられる各コーナ枠１５，１６，１７，１８を、外枠本体としての上板１１および下板１２に着脱可能としている。これにより、配線作業時に各コーナ枠１５，１６，１７，１８を必要に応じて取り外すことにより、拘束を解除した状態で配線２４を第１の配線取出用部分２５の開口に通し易くできる。従って、配線作業の手間をより一層軽減することができる。
【００２１】
各コーナ枠１５，１６，１７，１８は同様に構成されている。以下では、コーナ枠１５に則して図３Ａおよび図３Ｂを参照して説明する。
コーナ枠１５は、表示装置本体３の外郭、例えば、上面を形成する平坦な板状部分２８を有し、この板状部分２８に第１の配線取出用部分２５を設けてある。また、コーナ枠１５は、第１の配線取出用部分２５に対応する内部に、配線取出用部分２５を開放させて通した配線２４を無理なく屈曲させるための屈曲用空間２９を区画している。例えば、配線２４は、開口２５ａを通されて、屈曲用空間２９で、所要の曲げ半径で略直角に屈曲される。コーナ枠１５は、上板１１の端部に対向して配置されて配線２４を通す挿通孔３０を有する。この挿通孔３０に配線２４を通すことにより、配線２４を概ね束ねて位置規制でき、コーナ枠１５を上板１１に取り付ける際に、配線２４を上板１１とコーナ枠１５との間に挟み込むことを防止できる（図４参照）。
【００２２】
本表示装置１では、表示装置本体３の内部に、配線２４を通して導くための配線ダクト３１を設けてある。配線ダクト３１は、上板１１および下板１２に同様にそれぞれ設けられている。上板１１の配線ダクト３１に則して説明する。
配線ダクト３１は、表示装置本体３の上面の端縁としての上板１１の後端部に、表示パネル４よりも後方に配置されていて、上板１１に一体に形成される。配線ダクト３１は、表示装置本体３の長手方向に平行に延びる断面円形の孔を有し、この孔の内部に配線２４を通す（図４参照）。配線ダクト３１の両端部３１ｅは開放され、対応するコーナ枠１５，１７の挿通孔３０と連通する。
【００２３】
配線ダクト３１は、その内部と外部とを仕切り、配線ダクト３１内に通される配線２４が、配線ダクト３１の外にある回路部６の回路基板、電源装置等と触れ合うことを確実に防止できるので、ノイズに強い配線レイアウトを実現できる。しかも配線作業時にそのレイアウトについて格段の注意を払う必要がなく、配線作業が容易になり、その手間をより一層軽減できる。
また、配線ダクト３１は配線２４を覆って保護できるので、配線作業中に配線２４の線材の被覆が傷付くことを抑制できる。
【００２４】
また、配線ダクト３１は直線状をなすことにより、配線２４を通し易く、また、通した配線２４を直線状に短く簡素にレイアウトできる。従って、ノイズに対してより一層強い配線レイアウトを実現できる。
図４を参照して、表示装置１に通例設けられる外枠９の上板１１を利用して配線ダクト３１を一体に設けるので、配線ダクト３１を設けるためのコスト上昇を抑制でき、また、省スペース化を図ることができる。
【００２５】
配線ダクト３１は、電磁シールド材、例えば、金属により構成されることにより、その内部にある配線２４の部分をダクト外部の電磁波から遮蔽できるので、ノイズにより一層強い配線レイアウトを実現できる。
図５Ａおよび図５Ｂを参照する。表示装置１の回路部６は、複数の表示パネル４の動作を制御するための制御中枢部３２と、制御中枢部３２に対して信号を入出力するための信号端子台３３と、メンテナンス時に制御中枢部３２に対して信号を入出力するための選択的に利用可能な複数、例えば、３つの入出力部３４，３５，３６と、外部の商用電源に接続するための端子台およびこれを支持する回路基板とを含む電源接続部３７と、接続部３７と接続されて外部からのノイズおよびサージを抑制するためのフィルタを含むフィルタ部３８と、フィルタ部３８に接続されるスイッチング電源装置３９とを有する。
【００２６】
制御中枢部３２は、マイクロコンピュータと、記憶手段としてのメモリと、これらを電気的に接続して支持する回路基板とを有する。
図５Ｂを参照して、支持フレーム８の前面の中央部には、複数、例えば、４つの表示パネル４が左右方向に沿って並んで配置される。また、前面の右側および左側端部に第２の入出力部３５および電源接続部３７が配置される。図５Ａを参照して、支持フレーム８の後面の中央部には、制御中枢部３２と、信号端子台３３と、スイッチング電源装置３９と、フィルタ部３８とが配置される。後面の右側および左側端部に第３および第１の入出力部３６，３４が配置される。
【００２７】
配線作業を具体的に説明する。本実施形態では、合計１３個の第１、第２および第３の配線取出用部分２５，２６，２７のなかから、少なくとも一つを選択して用いることができる。
コーナ枠１５に設けられた第１の配線取出用部分２５を用いる場合には、先ず、コーナ枠１５，１６および右側板１３を取り外し、後板１０を取り外す。コーナ枠１５の第１の配線取出用部分２５に開口２５ａを形成し、この開口２５ａに配線２４を通す。通した配線２４の一部２４ａを配線ダクト３１の両端部３１ｅ間に通して電源接続部３７の端子台に接続し、配線２４の残りの一部２４ｂは、配線ダクト３１を通さずに支持フレーム８に沿って信号端子台３３に接続される。その後、後板１０、コーナ枠１５，１６および右側板１３を取り付ける。
【００２８】
また、コーナ枠１７，１８の配線取出用部分２５を用いる場合には、配線ダクト３１を用いず、後板１１を取り外さずに作業することもできる。
上板１１の第２の配線取出用部分２６を用いる場合には、上述の手順において、第１の配線取出用部分２５に代えて第２の配線取出用部分２６に開口を形成し、この開口に通した配線２４の端部を、配線ダクト３１を通さずに直接に電源接続部３７の端子台に接続すればよい。後板１０の第３の配線取出用部分２７を用いる場合にも、第２の配線取出用部分２６と同様にすればよい。
【００２９】
このように本実施形態では、配線取出用部分２５を複数箇所に、より好ましくは複数のコーナ枠１５，１６，１７，１８に設け、さらにより好ましくは第２および第３の配線取出用部分２６，２７の少なくとも一部をも設ける場合には、開口の位置、ひいては配線２４のレイアウトの自由度を高めることができ、配線作業の手間を軽減するのに好ましい。
また、本表示装置１では、複数の配線取出用部分２５，２６，２７を表示装置本体３の上面、後面および四隅に有するので、各種の取り付け態様に容易に対応することができる。取り付け態様としては、例えば、天井面に設置する天吊り状態や、表示部を壁面に平行に配置して表示装置本体３を壁面に取り付ける壁付け状態、表示部を壁面に直交させて配置して表示装置本体３を壁面から突き出すように壁面に取り付ける横付け状態がある。しかも、このような種々の取り付け態様に対応して表示装置１内からの配線２４を見栄え良く美しく配置することが容易にできる。
【００３０】
特に、長手方向について両端となる電源接続部３７とコーナ枠１５の配線取出用部分２５とが用いられる場合、配線２４が長くなりノイズの悪影響を受け易い傾向にあるが、配線ダクト３１によりノイズの影響を効果的に抑制できる。
次に、第２実施形態を説明する。以下の説明では、上述の実施形態と異なる点を中心に説明し、同様の構成については説明を省略して同じ符号を付しておく。また、後述する他の実施形態や変形例についても同様とする。
【００３１】
図６Ａ、図６Ｂを参照する。第２実施形態では、外枠１９１は、第１実施形態の上板１１に代えて上板１１１を有する。
外枠１９１の上板１１１は、２対の分割面１１１ａ〜１１１ｄを介して複数、例えば、２つに分割される。上板１１１は、第１および第２の分割部分４０，４１を有し、両分割部分４０，４１を組み合わせてなる。両分割部分に跨がって、配線ダクト３１１が設けられる。２対の分割面１１１ａ〜１１１ｄは、配線ダクト３１１の延びる方向Ｓに沿って延びて形成され、各対をなし対応する分割面１１１ａ〜１１１ｄは互いに対向して配置される。
【００３２】
固定側部分としての第１の分割部分４０は、支持フレーム８に固定され、各対の一方の分割面１１１ａ，１１１ｂを含み、表示装置１の内側に配置されて配線ダクト３１１の一部を区画する第１の内壁部３１１ａを含む。
着脱側部分としての第２の分割部分４１は、第１の分割部分４０に対して着脱可能に取り付けられ、各対の他方の分割面１１１ｃ，１１１ｄを含み、表示装置１の外郭を形成して配線ダクト３１１の一部を区画する外壁部３１１ｂと、表示装置１の内側に配置されて配線ダクト３１１の一部を区画する第２の内壁部３１１ｃとを含む。
【００３３】
図６Ｂ、図６Ｃを参照して、配線ダクト３１１の途中部３１１ｄに、単一の開放可能な配線挿通用部分４２を設けてある。配線挿通用部分４２は、例えば、制御中枢部３２および信号端子台３３の近傍に配置され、固定側部分としての第１の分割部分４０に設けられ、配線ダクト３１１を区画する部分、例えば、第１の内壁部３１１ａに形成される孔からなる。孔の周縁は、略Ｕ字形形状をなしていて、周縁の一部が分割面１１１ｂに開放されている。
【００３４】
本実施形態では、外枠１９１を分割する２つの分割部分４０，４１を互いに分離させて、配線ダクト３１１の内部を表示装置１の外部へその全長にわたり広く開放させることができるので、配線ダクト３１１の内部へ配線２４を容易に収容でき、配線作業の手間をより一層軽減できる。
配線ダクト３１１の途中部３１１ｄに配線挿通用部分４２を設けることにより、配線２４の例えば一部が、配線ダクト３１１の途中部３１１ｄから導出されたり導入されたりするようなレイアウトを採用することもできる。従って、配線レイアウトの自由度が高まり、その結果、配線作業の手間をより一層軽減できる。また、配線レイアウトの自由度が高まるので、ノイズの影響を受けずに、回路基板、機器等と配線２４とを任意の場所で互いに接続することもできる。
【００３５】
例えば、本実施形態では、配線２４の一部は、配線取出用部分２５が設けられる側となる配線ダクト３１１の端部３１１ｅから途中部３１１ｄまでの間を導かれ、この間に対応する配線ダクト３１１の一部を通り信号端子台３３に接続される。配線２４の残りの一部は、配線ダクト３１１の両端部３１１ｅ間を導かれて、電源接続部３７に接続される。
配線ダクト３１１を分割可能とすることにより、より好ましくは、配線挿通用部分４２の孔の周縁を開放させることにより、例えば、配線ダクト３１１の断面形状より大きな寸法のコネクタ２４ｃ等を配線２４の端部に加工した後であっても、配線２４を配線ダクト３１１内に容易に取り付けることができる。また、配線ダクト３１１への配線２４の取付作業に先立ち、配線２４が自由な状態でその線先にコネクタ等を取り付けることもできて、手間がかからずに済む。
【００３６】
図７Ａおよび図７Ｂを参照する。第３実施形態では、外枠１９２は、第１実施形態の上板１１に代えて上板１１２を有する。
外枠１９２の上板１１２は、２対の分割面１１２ａ〜１１２ｄを介して複数、例えば、２つに分割される。上板１１２は、第１および第２の分割部分４３，４４を有し、両分割部分４３，４４を組み合わせてなる。両分割部分４３，４４に跨がって、配線ダクト３１２が設けられる。２対の分割面１１２ａ〜１１２ｄは、配線ダクト３１２の延びる方向Ｓに沿って形成され、各対をなして対応する分割面１１２ａ〜１１２ｄは互いに対向して配置される。
【００３７】
固定側部分としての第１の分割部分４３は、支持フレーム８に固定され、各対の一方の分割面１１２ａ，１１２ｂを含み、表示装置１の内側に配置されて配線ダクト３１２の一部を区画する内壁部３１２ａを含む。
着脱側部分としての第２の分割部分４４は、第１の分割部分４３に対して着脱可能に取り付けられ、各対の他方の分割面１１２ｃ，１１２ｄを含み、表示装置１の外郭を形成して配線ダクト３１２の一部を区画する蓋としての外壁部３１２ｂを含む。
【００３８】
配線ダクト３１２の途中部３１２ｄには、単一の開放可能な配線挿通用部分４５を設ける。配線挿通用部分４５は、固定側部分としての第１の分割部分４２に設けられ、配線ダクト３１２を区画する部分、例えば、内壁部３１２ａに形成される孔からなる。
第３実施形態では、配線挿通用部分４２の周縁が開放される効果を除き、第２実施形態と同様の効果を得ることができる。
【００３９】
特に、本実施形態では、各対の分割面１１２ａ〜１１２ｄの一方および他方は、互いに係合する一対の係合部としての起伏部、例えば、凸条４６および凹条４７を有し、互いに凹凸嵌合する。凸条４６と凹条４７とは、その延びる方向にスライドさせて嵌め込むことにより、工具を用いずに互いに着脱可能である。
なお、上述の各実施形態について、以下の変形例を考えることができる。例えば、第１の配線取出用部分２５を第２および第３の配線取出用部分２６，２７と同様に構成すること、第１の配線取出用部分２５を外枠９の任意の１個、２個、または３個のコーナ枠１５〜１８に設けること、配線取出用部分２５を設けるコーナ枠１５〜１８が単一または３つ以上の複数個の配線取出用部分２５を有すること、各コーナ枠１５〜１８が外枠本体に固定されることも考えられる。
【００４０】
また、配線ダクト３１を、側板１３，１４に設けることも考えられる。配線ダクト３１を省略し第１の配線取出用部分２５を設けることや、第１の配線取出用部分２５を省略し配線ダクト３１を設けることも考えられる。また、第２および第３の配線取出用部分２６，２７は、単一でも複数でもよいし、省略することも考えられる。配線ダクト３１の耐ノイズ性を強めるには、配線ダクト３１を区画する部材としての外枠９の金属部分を接地することが望ましいが、逆に、配線ダクト３１を合成樹脂製の外枠に設けることも考えられる。配線ダクト３１１，３１２についても、配線ダクト３１と同様の変形例が考えられる。
【００４１】
配線挿通用部分４２，４５を複数箇所に設けても良いし、必要に応じて開放可能に上述の第１〜第３の配線取出用部分２５，２６，２７と同様に構成してもよい。その他、本発明の特許請求の範囲で種々の変更を施すことが可能である。
【図面の簡単な説明】
【図１】本発明の第１実施形態の表示装置の一部断面斜視図であり、壁面への取付部材も分解状態で図示してある。
【図２】図１に示す外枠と支持フレームの分解図である。
【図３】図１に示す表示装置本体の右上部の一部断面図であり、図３Ａは、図３Ｂに示す３Ａ断面を一部に示す一部断面平面図であり、図３Ｂは、図３Ａの３Ｂ断面図である。
【図４】図１に示す上板およびコーナ枠の分解図である。
【図５】図１に示す表示装置の内部の概略配置を示す模式図であり、背後から見た配置を図５Ａに、正面からみた配置を図５Ｂに示す。
【図６】本発明の第２実施形態の表示装置の上板と配線ダクトを示し、断面図を図６Ａに、要部の分解斜視図を図６Ｂに、配線の接続を示す模式図を図６Ｃに示す。
【図７】本発明の第３実施形態の表示装置の上板と配線ダクトを示し、断面図を図７Ａに、要部の分解斜視図を図７Ｂに示す。
【符号の説明】
１  表示装置
２  表示ユニット（表示手段）
２ａ  表示ユニットの前面（表示手段の前面）
３  表示装置本体
５  前面パネル（表示部）
９，１９１，１９２  外枠
１０  後板
１１，１１１，１１２  上板（外枠本体）
１５，１６，１７，１８  コーナ枠（外枠のコーナ部）
２４  配線
２５  第１の配線取出用部分
３１，３１１，３１２  配線ダクト
４２，４５  配線挿通用部分
１１１ａ〜１１１ｄ，１１２ａ〜１１２ｄ  分割面
３１１ｄ，３１２ｄ  配線ダクトの途中部
Ｓ  長手方向（配線ダクトの延びる方向）
【図１】
2004354627.tif 000003
【図２】
2004354627.tif 000004
【図３】
2004354627.tif 000005
【図４】
2004354627.tif 000006
【図５】
2004354627.tif 000007
【図６】
2004354627.tif 000008
【図７】
2004354627.tif 000009